(57)【要約】【課題】  自動起動後に複数の表示モードの中から選択された表示モードに従って画面を表示することが可能な電子機器および自動起動方法を提供することを目的とする。【解決手段】  設定された時刻になるとオンタイマを用いて主電源をオンにし、チューナにて受信した放送信号に含まれている映像信号に基づく画像をＬＣＤに表示させるのか、または、インタネットを介して取得したデータに基づく画像をＬＣＤに表示させるのかを予め設定する設定手段を設ける。オンタイマによって主電源がオンにされた後、設定手段によって設定された表示モードに従った画像をＬＣＤに表示する。【選択図】  図９
2009171109.tif 000002
【特許請求の範囲】
【請求項１】
画像を表示する表示部と、
映像信号および音信号を含む放送信号を受信する第１の受信部と、
インタネットに接続されている外部機器に記憶されているデータを受信する第２の受信部と、
設定された時刻になると主電源をオンにするオンタイマと、
前記オンタイマによって前記主電源がオンになった後に前記第１の受信部にて受信した放送信号に含まれる映像信号に基づく画像を前記表示部に表示させる第１の表示モードおよび前記オンタイマによって前記主電源がオンになった後に前記第２の受信部にて受信した前記外部機器に記憶されているデータに基づく画像を前記表示部に表示させる第２の表示モードのうちの何れかの表示モードを前記オンタイマによって前記主電源がオンになった後の表示モードとして設定する設定手段と、
を具備することを特徴とする電子機器。
【請求項２】
前記オンタイマによって前記主電源がオンになった後に前記設定手段によって設定された表示モードがどの表示モードであるかを判断する判断手段と、
前記判断手段によって前記第１の表示モードが設定されていると判断された場合、前記第１の受信部によって受信された放送信号に含まれている音信号に基づいて生成された音を放射し、前記判断手段によって前記第２の表示モードが設定されていると判断された場合、ユーザによって設定された音を放射するスピーカと、
をさらに具備することを特徴とする請求項１記載の電子機器。
【請求項３】
前記オンタイマによって主電源がオンとなった後に前記第１の受信部にて受信した放送信号に含まれる映像信号に基づく画像が前記表示部に表示されずに前記第２の受信部にて受信した前記外部機器に記憶されているデータに基づく画像が前記表示部に表示される場合に、前記スピーカから音を放射するように設定する設定手段をさらに具備することを特徴とする請求項２記載の電子機器。
【請求項４】
設定された時刻になると主電源をオンにするオンタイマを有する電子機器にて実行される自動起動方法において、
映像信号および音信号を含む放送信号を受信し、
インタネットに接続されている外部機器に記憶されているデータを受信し、
前記オンタイマによって前記主電源がオンになった後に前記受信した放送信号に含まれる映像信号に基づく画像を表示部に表示させる第１の表示モードおよび前記オンタイマによって前記主電源がオンになった後に前記第２の受信部にて受信した前記外部機器に記憶されているデータに基づく画像を前記表示部に表示させる第２の表示モードのうちの何れの表示モードが設定されているかを判断し、
前記判断された表示モードに基づいて、前記表示部に画像を表示することを特徴とする自動起動方法。
【請求項５】
前記第１の表示モードが設定されていると判断された場合、前記受信された放送信号に含まれている音信号に基づいて生成された音をスピーカから放射し、前記判断手段によって前記第２の表示モードが設定されていると判断された場合、ユーザによって設定された音をスピーカから放射することを特徴とする請求項４記載の自動起動方法。
【請求項６】
前記オンタイマによって主電源がオンとなった後に前記受信した放送信号に含まれる映像信号に基づく画像が前記表示部に表示されずに前記受信した前記外部機器に記憶されているデータに基づく画像が前記表示部に表示される場合に、前記スピーカからユーザによって設定された音を放射することを特徴とする請求項５記載の自動起動方法。
【請求項７】
画像を表示する表示部と、
映像信号および音信号を含む放送信号を受信する第１の受信部と、
インタネットに接続されている外部機器に記憶されているデータを受信する第２の受信部と、
設定された時刻になると主電源をオンにするオンタイマと、
を具備する電子機器において、
前記オンタイマによって前記主電源がオンになった後に前記第１の受信部にて受信した放送信号に含まれる映像信号に基づく画像を前記表示部に表示させる第１の表示モードおよび前記オンタイマによって前記主電源がオンになった後に前記第２の受信部にて受信した前記外部機器に記憶されているデータに基づく画像を前記表示部に表示させる第２の表示モードのうちの何れかの表示モードが設定されているかを判断する判断手段をさらに具備し、
前記表示部は、前記オンタイマによって前記主電源がオンになった後に前記判断手段によって判断された表示モードに従う画像を表示する表示部であることを特徴とする電子機器。
【請求項８】
前記判断手段によって前記第１の表示モードが設定されていると判断された場合、前記第１の受信部によって受信された放送信号に含まれている音信号に基づいて生成された音を放射し、前記判断手段によって前記第２の表示モードが設定されていると判断された場合、ユーザによって設定された音を放射するスピーカをさらに具備することを特徴とする請求項７記載の電子機器。
【請求項９】
前記オンタイマによって主電源がオンとなった後に前記第１の受信部にて受信した放送信号に含まれる映像信号に基づく画像が前記表示部に表示されずに前記第２の受信部にて受信した前記外部機器に記憶されているデータに基づく画像が前記表示部に表示される場合に、前記スピーカから音を放射するように設定する設定手段をさらに具備することを特徴とする請求項８記載の電子機器。
【発明の詳細な説明】
【技術分野】
【０００１】
本発明は、インタネットを介して入手したデータに基づく画像および放送信号に含まれる映像信号に基づく画像を表示部に表示可能な電子機器に関する。
【背景技術】
【０００２】
近年、インタネット機能を搭載した電子機器の開発が進められている。コンピュータを始めとして、携帯電話、テレビにも搭載されている。
【０００３】
また、オンタイマ機能を搭載した電子機器の開発も進められている。オンタイマ機能とは、予め設定した時刻に電源を自動的にオンする機能である。
【０００４】
例えば、オンタイマ機能が搭載されたテレビの場合、予めユーザが設定した時刻になるとテレビの電源が自動的にオンされ、放送番組を視聴することが可能となる。
【０００５】
従来、インタネット機能およびオンタイマ機能に関する技術として、定期的に発生する起動の瞬間に、インタネットに接続される情報サーバを識別する集合的なアドレス情報を検索するために、タイマ手段が起動情報をアドレス検索手段に供給し、アドレス情報を検索して情報サーバの有する情報データを取得するインタネット受信装置があった。
【特許文献１】特開２００４−５０９５６８号公報（第２頁、第１図）
【発明の開示】
【発明が解決しようとする課題】
【０００６】
上述にて説明したように、オンタイマ機能によって予め設定した時刻に電源を自動的にオンした後、テレビ機能を実行することによるテレビ画面の表示、インタネット機能を実行することによるインタネット画面の表示等を行うことが可能となる。
【０００７】
そこで、本発明は、自動起動後に複数の表示モードの中から選択された表示モードに従って画面を表示することが可能な電子機器および自動起動方法を提供することを目的とする。
【課題を解決するための手段】
【０００８】
上記目的を達成するために、請求項１に関わる電子機器は、画像を表示する表示部と、映像信号および音信号を含む放送信号を受信する第１の受信部と、インタネットに接続されている外部機器に記憶されているデータを受信する第２の受信部と、設定された時刻になると主電源をオンにするオンタイマと、前記オンタイマによって前記主電源がオンになった後に前記第１の受信部にて受信した放送信号に含まれる映像信号に基づく画像を前記表示部に表示させる第１の表示モードおよび前記オンタイマによって前記主電源がオンになった後に前記第２の受信部にて受信した前記外部機器に記憶されているデータに基づく画像を前記表示部に表示させる第２の表示モードのうちの何れかの表示モードを前記オンタイマによって前記主電源がオンになった後の表示モードとして設定する設定手段と、を具備することを特徴とする。
【０００９】
また、請求項４に関わる自動起動方法は、設定された時刻になると主電源をオンにするオンタイマを有する電子機器にて実行される自動起動方法において、映像信号および音信号を含む放送信号を受信し、インタネットに接続されている外部機器に記憶されているデータを受信し、前記オンタイマによって前記主電源がオンになった後に前記受信した放送信号に含まれる映像信号に基づく画像を表示部に表示させる第１の表示モードおよび前記オンタイマによって前記主電源がオンになった後に前記第２の受信部にて受信した前記外部機器に記憶されているデータに基づく画像を前記表示部に表示させる第２の表示モードのうちの何れの表示モードが設定されているかを判断し、前記判断された表示モードに基づいて、前記表示部に画像を表示することを特徴とする。
【００１０】
また、請求項７に関わる電子機器は、画像を表示する表示部と、映像信号および音信号を含む放送信号を受信する第１の受信部と、インタネットに接続されている外部機器に記憶されているデータを受信する第２の受信部と、設定された時刻になると主電源をオンにするオンタイマを具備する電子機器において、前記オンタイマによって前記主電源がオンになった後に前記第１の受信部にて受信した放送信号に含まれる映像信号に基づく画像を前記表示部に表示させる第１の表示モードおよび前記オンタイマによって前記主電源がオンになった後に前記第２の受信部にて受信した前記外部機器に記憶されているデータに基づく画像を前記表示部に表示させる第２の表示モードのうちの何れかの表示モードが設定されているかを判断する判断手段をさらに具備し、前記表示部は、前記オンタイマによって前記主電源がオンになった後に、前記判断手段によって判断された表示モードに従う画像を表示する表示部であることを特徴とする。
【発明の効果】
【００１１】
本発明によれば、自動起動後に複数の表示モードの中から選択された表示モードに従って画面を表示することが可能な電子機器および自動起動方法を提供することが可能となる。
【発明を実施するための最良の形態】
【００１２】
図１は、デジタルテレビの一例を示す図である。
【００１３】
デジタルテレビ１は、本体部２０とこの本体部２０を支えるスタンド部２１とから構成される。
【００１４】
本体部２０の前面にはＬＣＤ１３が組み込まれている。ＬＣＤ１３は、動画像、静止画像を表示することが可能な表示部である。例えば、ＬＣＤ１３は、デジタル放送の番組内容の表示、インタネットを介して入手したページ内容の表示をすることが可能である。
【００１５】
図１には、インタネットを介して入手したページ内容をインタネットブラウザ３０を用いてＬＣＤ１３に表示する第１の状態が示されている。
【００１６】
図１に示すように、ＬＣＤ１３にインタネットブラウザ３０のみを表示させる表示モードのことを、"ネットシングルウィンドウ表示モード"と称す。
【００１７】
インタネットブラウザ３０は、ページを識別するための記号列であるURL（Uniform Resource Locator）を用いて、ページの情報を取得する。
【００１８】
インタネットブラウザ３０を用いてＬＣＤ１３に表示されるページの種類として、例えば、ニュースについて纏めたページ、天気について纏めたページ、交通情報について纏めたページ等がある。
【００１９】
通常、インタネットブラウザ３０を用いて同一のURLを指定してページの情報を取得した場合、同種のページの情報を入手することが可能である。例えば、ある時刻に、インタネットブラウザ３０を用いて天気について纏めたページのURLを指定してこの天気について纏めたページの情報を取得したとする。この時刻から任意の時間が経過した時刻に、再度、インタネットブラウザ３０を用いて同一のURLを指定してページの情報を取得した場合であっても、天気について纏めたページの情報を取得することが可能である。
【００２０】
図２には、インタネットを介して入手したページ内容をインタネットブラウザ３０を用いてＬＣＤ１３に表示する第２の状態が示されている。
【００２１】
図２に示す状態は、図１を用いて説明したインタネットブラウザ３０およびテレビ画面３１をともにＬＣＤ１３に表示させた状態である。
【００２２】
テレビ画面３１には放送番組が表示される。ＬＣＤ１３にインタネットブラウザ３０およびテレビ画面３１をともに表示させることで、ユーザは放送番組を視聴しながら、インタネットブラウザ３０を用いて気になった情報についての情報を取得することが可能となる。
【００２３】
図２に示すように、ＬＣＤ１３にインタネットブラウザ３０およびテレビ画面３１を表示させる表示モードのことを、"ネット−テレビダブルウィンドウ表示モード"と称す。
【００２４】
図１および図２を用いて説明したように、デジタルテレビ１は、インタネットを介して入手したページ内容をインタネットブラウザ３０を用いて、２つのモードのうちの何れかのモードでＬＣＤ１３に表示することが可能である。
【００２５】
図３は、デジタルテレビ１のハードウェア構成の一例について説明した図である。
【００２６】
チューナ１２は、チューナ１２に接続されるアンテナ１２ａを介して放送信号を受信する。例えばＭＰＥＧ２、ＭＰＥＧ４といったＭＰＥＧ形式でエンコードされたストリームデータを受信する。
【００２７】
映像・音声処理部１１は、チューナ１２から入力された放送信号に含まれる映像・音信号を処理する。映像・音声処理部１１での処理によって生成された信号のうち、映像系の信号は画像データとしてディスプレイ１３に出力される。一方、映像・音声処理部１１での処理によって生成された信号のうち、音系の信号は、アンプ１４に出力される。
【００２８】
アンプ１４は、映像・音声処理部１１から入力された音系の信号を増幅し、スピーカ１５に出力する。スピーカ１５はアンプ１４から入力された信号を物理振動として変換し、音として放射する。
【００２９】
コントローラ１０は、デジタルテレビ１の主な動きを制御する。このコントローラ１０は、リモコン２から送信されるコマンドを受光部２２を介して受信する。さらに、コントローラ１０は受信したコマンドをデコードし、コマンド内容に応じて各制御を実行する。
【００３０】
コントローラ１０には、オンタイマ１０ｂが設けられる。オンタイマ１０ｂは、タイマ機能を有し、後述にて詳細に説明するが、このタイマ機能によってカウントされた時刻とユーザによって設定されている時刻とが一致した場合に、デジタルテレビ１の主電源をオンにする。デジタルテレビ１の主電源がオンされると、デジタルテレビ１を構成するコンポーネントへの電源供給が開始される。
【００３１】
さらに、コントローラ１０には、ＲＡＭ（Random Access Memory）１０ａおよびＲＯＭ（Read Only Memory）１０ｃおよび不揮発性メモリ１０ｄが設けられる。
【００３２】
ＲＯＭ１０ｃは、データの書き換えが不可である、電源オフ時でもデータが消えないタイプのメモリである。ＲＯＭ１０ｃには、アプリケーションデータ等が記憶されている。
【００３３】
不揮発性メモリ１０ｄは、データの書き換えが可能であり、電源オフ時でもデータが消えないタイプのものである。この不揮発性メモリ１０ｄには、ユーザが設定したデータ等が記憶される。
【００３４】
ＲＯＭ１０ｃに記憶されているアプリケーションとして、例えば、インタネットブラウザ３０等がある。コントローラ１０は、ＲＯＭ１０ｃに記憶されているインタネットブラウザ３０といったアプリケーションデータ、不揮発性メモリ１０ｄに記憶されている設定データ等を、適宜、ＲＡＭ１０ａにロードし、アプリケーションの実行、データの処理等を行う。
【００３５】
また、コントローラ１０には、通信コントローラ１６が接続される。通信コントローラ１６は、外部機器との間で行われる通信を制御するコントローラである。
【００３６】
通信コントローラ１６と接続されている通信コネクタ１７には、外部機器が接続されているネットワーク１００に接続するための通信ケーブル１７ｂが挿入される。
【００３７】
上述にて説明したコントローラ１０によるインタネットブラウザ３０の実行によって、コントローラ１０は、このインタネットブラウザ３０にて指定されたURLを有するページのデータを、ネットワーク１００側から通信ケーブル１７ｂ、通信コネクタ１７ａおよび通信コントローラ１６を介して取得する。
【００３８】
コントローラ１０のインタネットブラウザ３０の実行によって取得されたページのデータは、映像・音声処理部１１を介して、ディスプレイ１３に図１に示したように画像データとして表示される。
【００３９】
さらに、コントローラ１０には、操作部２１が接続されている。この操作部２１として、例えば、ボリュームアップ操作部、ボリュームダウン操作部等がある。ユーザによる操作部２１の操作に応じて、コントローラ１０は操作内容に応じた制御を実行する。
【００４０】
二次電池１９はコントローラ１０に対して、常時、電源供給を行う。従って、デジタルテレビ１の主電源がオフ状態であっても、コントローラ１０は動作可能な状態である。
【００４１】
二次電池１９は、ＡＣアダプタ２０から電源供給回路１８を介して供給される電源によって充電される。次に、オンタイマ機能の設定の一例について説明する。
【００４２】
図４は、ＬＣＤ１３に表示したオンタイマ設定画面の一例を示した図である。
【００４３】
ＬＣＤ１３には、オンタイマ設定画面３２が表示される。このオンタイマ設定画面３２を用いて、以下説明する項目について設定する。
【００４４】
設定項目として、"オンタイマ使用／不使用選択"３２ａ、"オン時刻"３２ｂ、"表示モード選択"３２ｃ、"チャネル"３２ｄ、"インタネット  サイト名"３２ｅがある。
【００４５】
"オンタイマ使用／不使用選択"３２ａは、オンタイマ機能を使用するのか否かについて設定する項目である。"オンタイマ使用"を選択すると、上述にて説明したコントローラ１０に内蔵されているオンタイマ１０ｂがイネーブルとなる。一方、"オンタイマ不使用"を選択すると、コントローラ１０に内蔵されているオンタイマ１０ｂがディセーブルになる。
【００４６】
"オン時刻"３２ｂは、オンタイマ１０ｂがイネーブル状態であるときのデジタルテレビ１の主電源をオンにする時刻を設定する項目である。例えば、デジタルテレビ１の主電源を"毎日、Ａ．Ｍ．８：００"にオンしたい場合、"毎日  Ａ．Ｍ．８：００"と設定する。
【００４７】
"表示モード選択"３２ｃは、ＬＣＤ１３にインタネットブラウザ、テレビ画面を表示させる場合のモードについて設定する項目である。例えば、ＬＣＤ１３にインタネットブラウザ３０のみを表示させたい場合、上述にて説明した"ネットシングルウィンドウ表示モード"を選択する。また、ＬＣＤ１３にインタネットブラウザ３０とともにテレビ画面３１を表示させたい場合、上述にて説明した"ネット−テレビダブルウィンドウ表示モード"を選択する。
【００４８】
"チャネル"３２ｄは、受信したい放送番組のチャネルを設定する項目である。例えば、地上デジタル放送の１ｃｈの放送番組を視聴したい場合、"地上デジタル放送  １ｃｈ"と設定する。
【００４９】
"インタネット  サイト名"３２ｅは、インタネットブラウザ３０を用いて取得したいページの有する"サイト名"を設定する項目である。"サイト名"とは、上述にて説明した"URL"と同様にページの有する情報であり、"サイト名"は"URL"と関連付けられている。ユーザがインタネットブラウザ３０に"サイト名"を指定すると、インタネットブラウザ３０は、この"サイト名"と関連付けられている"URL"を参照し、この"URL"を有するページの情報を取得する。
【００５０】
例えば、"関東天気ニュース"というサイト名を有するページの情報をインタネットブラウザ３０を用いて取得したい場合、"関東天気ニュース"と設定する。
【００５１】
このサイトの設定を行う場合、例えば、図５に示すような"ホームページ設定画面"３４をＬＣＤ１３に表示させ、このホームページ設定画面３４中の"お気に入り"３４ａというボタンを選択する。"お気に入り"３４ａボタンを選択すると、図６に示す"お気に入り一覧"３５がＬＣＤ１３に表示され、この"お気に入り一覧"３５に表示されているサイト名の中から選択してサイトの設定を行うことが可能である。
【００５２】
また、設定したいサイトが図６に示す"お気に入り一覧"３５に表示されていない場合、図５に示すホームページ設定画面中の"ＵＲＬ入力"３４ｂというボタンを選択する。"ＵＲＬ入力"３４ｂボタンを選択することで、図７に示す"ＵＲＬ入力画面"３６がＬＣＤ１３に表示され、この"ＵＲＬ入力画面"３６に指定したいページのＵＲＬを入力し設定を行うことが可能である。
【００５３】
このように、オンタイマ機能による自動起動後、ＬＣＤ１３にどのような画面を表示させるかを設定するオンタイマ設定画面３２を設けることで、デジタルテレビ１が自動起動後に、ユーザが望む機能が起動後の画面をＬＣＤ１３に表示することが可能となる。
【００５４】
次に、オンタイマ設定画面３２にてオンタイマ機能をイネーブルに設定し、かつ、表示モードをネットシングルウィンドウ表示モードに設定した場合に実行可能であるアラーム再生機能の設定について説明する。
【００５５】
図８は、ＬＣＤ１３に表示したアラーム再生機能の設定画面の一例を示した図である。
【００５６】
ユーザは、図４を用いて説明したオンタイマ設定画面３２にてオンタイマ機能をイネーブルに設定し、かつ、表示モードをネットシングルウィンドウ表示モードに設定した場合にＬＣＤ１３にアラーム再生機能の設定画面を表示させて、以下に説明する項目について設定する。
【００５７】
設定項目として、"音の再生／非再生選択"３３ａ、"アラーム音選択"３３ｂおよび"アラームの音量"３３ｃがある。
【００５８】
"アラーム音の再生／非再生選択"３３ａは、アラーム音を再生するのか否かについて設定する項目である。"再生"を選択すると、オンタイマ機能がイネーブル、かつ、表示モードがネットシングルウィンドウ表示モードに設定されている場合において、アラーム音の再生機能をイネーブルとする。一方、"非再生"を選択すると、オンタイマ機能がイネーブル、かつ、表示モードがネットシングルウィンドウ表示モードに設定されている場合において、アラーム音の再生機能をディセーブルとする。
【００５９】
"アラーム音選択"３３ｂは、再生されるアラーム音の種類を設定する項目である。例えば、選択値として"アラーム音１"および"アラーム音２"がある場合において、"アラーム音１"を選択すると"アラーム音１"に対応する音の再生を実行する。また、"アラーム音２"を選択すると"アラーム音２"に対応する音の再生を実行する。
【００６０】
"アラームの音量"３３ｃは、再生されるアラーム音の音量を設定する項目である。例えば、アラームの音量として"２５"といった数値を設定する。
【００６１】
次に、オンタイマ機能をイネーブルに設定した場合における、コントローラ１０にて実行される動作について説明する。
【００６２】
図９は、オンタイマ機能をイネーブルに設定した場合における、デジタルテレビ１の自動電源オン後の動作について説明する流れ図である。
【００６３】
デジタルテレビ１の主電源がオフ状態においてコントローラ１０は、図４に示す"オン時刻"３２ｂに設定した時刻になったか否かを判断する（ステップ  Ｓ１００）。
【００６４】
コントローラ１０は"オン時刻"３２ｂに設定した時刻になったと判断した場合（ステップ  Ｓ１００  Ｙｅｓ）、デジタルテレビ１の主電源をオンにする（ステップ  Ｓ１０１）。デジタルテレビ１の主電源がオン状態となることで、ＬＣＤ１３はインタネットブラウザ３０、テレビ画面３１等を表示することが可能な状態となる。
【００６５】
主電源をオンにした後、コントローラ１０は、図４に示す"表示モード選択"にて設定された表示モードを確認する。
【００６６】
コントローラ１０が"ネットシングルウィンドウ表示モード"に設定されていると判断した場合（ステップ  Ｓ１０２  Ｙｅｓ）、インタネットブラウザ３０を起動する（ステップ  Ｓ１０３）。
【００６７】
インタネットブラウザ３０は、図４に示す"インタネット  サイト名"にて設定されたサイト名に関連付けられたURLに基づいて、ページの情報を取得する（ステップ  Ｓ１０４）。さらに、インタネットブラウザ３０は、この取得したページをＬＣＤ１３に表示する（ステップ  Ｓ１０５）。
【００６８】
コントローラ１０は、図５に示す"アラーム音を再生／非再生選択"３３ａにて設定された内容を確認する（ステップ  Ｓ１０６）。コントローラ１０は"再生"と設定されていることを確認した場合（ステップ  Ｓ１０６  Ｙｅｓ）、"アラーム音選択"３３ｂにて設定したアラーム音を"アラーム音量"３３ｃにて設定した音量で再生することで、スピーカからアラーム音が放射される（ステップ  Ｓ１０７）。コントローラ１０が"非再生"と設定されていることを確認した場合（ステップ  Ｓ１０６  Ｎｏ）、処理を終了する。
【００６９】
一方、コントローラ１０が"ネットシングルウィンドウ表示モード"に設定されていないと判断した場合（ステップ  Ｓ１０２  Ｎｏ）、コントローラ１０は、"ネット−テレビダブルウィンドウ表示モード"に設定されているか否かについて判断する（ステップ  Ｓ１０８）。
【００７０】
コントローラ１０が"ネット−テレビダブルウィンドウ表示モード"に設定されていると判断した場合（ステップ  Ｓ１０８  Ｙｅｓ）、インタネットブラウザ３０を起動する（ステップ  Ｓ１０９）。
【００７１】
インタネットブラウザ３０は、図４に示す"インタネット  サイト名"にて設定されたサイト名に関連付けられたURLに基づいて、ページの情報を取得する（ステップ  Ｓ１１０）。さらに、インタネットブラウザ３０は、この取得したページをＬＣＤ１３に表示する（ステップ  Ｓ１１１）。
【００７２】
コントローラ１０は、アンテナ１２ａを介してチューナ１２にて受信した放送信号に含まれる映像信号を映像・音声処理部にて処理し、ＬＣＤ１３にテレビ画面３１として表示する（ステップ  Ｓ１１２）。
【００７３】
さらに、コントローラ１０は、アンテナ１２ａを介してチューナ１２にて受信した放送信号に含まれる音声信号を映像・音声処理部にて処理し、アンプ１４を介してスピーカ１５から音として放射する（ステップ  Ｓ１１３）。
【００７４】
一方、コントローラ１０が"ネット−テレビダブルウィンドウ表示モード"に設定されていないと判断した場合（ステップ  Ｓ１０８  Ｎｏ）、その他のモードの処理が実行される（ステップ  Ｓ１１４）。
【００７５】
このように、オンタイマ機能を用いてデジタルテレビ１を自動的に電源オンした後、ネットシングルウィンドウ表示モードである場合、インタネットブラウザ３０を起動し、起動したインタネットブラウザ３０がユーザの取得したいページの情報を取得するとともに、ユーザの設定したアラーム音を再生することで、ユーザは、このアラーム音を聴いて、デジタルテレビ１が自動的に電源オンされたことを知り、さらに、インタネットブラウザに表示されている例えば、今日の天気の情報といった特定の情報を知ることができる。一方、オンタイマ機能を用いてテレビを自動的に電源オンした後、ネット−テレビダブルウィンドウ表示モードである場合、インタネットが起動されるとともにテレビ番組の表示・テレビ音声のスピーカからの放射がなされるので、ユーザは、テレビの音声を聴いて、テレビが自動的に電源オンされたことを知ることができ、さらに、インタネットに表示されている天気の情報といった特定の情報を知ることが可能となる。
【００７６】
上記実施形態では、ＬＣＤ１３にインタネットブラウザ３０のみを表示させる表示モードである"ネットシングルウィンドウ表示モード"およびＬＣＤ１３にインタネットブラウザ３０およびテレビ画面３１を表示させる表示モードである"ネット−テレビダブルウィンドウ表示モード"のうちのいずれかを選択する例を用いて説明したがこれに限ることはない。例えば、ＬＣＤ１３にインタネットブラウザ３０のみを表示させる表示モードである"ネットシングルウィンドウ表示モード"および、ＬＣＤ１３にテレビ画面３１のみを表示させる表示モードである"テレビシングルウィンドウ表示モード"のうちのいずれかを選択する構成であってもよい。
【００７７】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００７８】
【図１】インタネットを介して入手したページ内容をインタネットブラウザ３０を用いてＬＣＤ１３に表示する第１の状態を示す図。
【図２】インタネットを介して入手したページ内容をインタネットブラウザ３０を用いてＬＣＤ１３に表示する第２の状態が示す図。
【図３】デジタルテレビ１のハードウェア構成の一例について説明した図。
【図４】ＬＣＤ１３に表示したオンタイマ設定画面の一例を示した図。
【図５】ＬＣＤ１３に表示したホームページ設定画面の一例を示した図。
【図６】ＬＣＤ１３に表示したお気に入り一覧の一例を示した図。
【図７】ＬＣＤ１３に表示したＵＲＬ入力画面の一例を示した図。
【図８】ＬＣＤ１３に表示したアラーム再生機能の設定画面の一例を示した図。
【図９】オンタイマ機能をイネーブルに設定した場合における、デジタルテレビ１の自動電源オン後の動作について説明する流れ図。
【符号の説明】
【００７９】
１…デジタルテレビ、１０…コントローラ、１１…映像・音声処理部、
１２…チューナ、１３…ＬＣＤ、１５…スピーカ、
１６…通信コントローラ、
【図１】
2009171109.tif 000003
【図２】
2009171109.tif 000004
【図３】
2009171109.tif 000005
【図４】
2009171109.tif 000006
【図５】
2009171109.tif 000007
【図６】
2009171109.tif 000008
【図７】
2009171109.tif 000009
【図８】
2009171109.tif 000010
【図９】
2009171109.tif 000011